(57)【要約】【課題】  設置に要するスペースを最小限にし、設置場所付近に電源を必要とせず、さらに、破損しにくく、発光時に発熱しない電気スタンド式看板を提供することを目的とする。【解決手段】  支持部材１と、この支持部材１に取り付けられると共に面状発光シートと看板表示面３とを積層した看板本体４と、看板本体４の面状発光シートへ電気を送るための蓄電池５と、インバータ６と、支持部材１に取り付けられた太陽発電パネル７と、を具備する。【選択図】  図１
2005173196.tif 000002
【特許請求の範囲】
【請求項１】
支持部材（１）と、この支持部材（１）に取り付けられると共に面状発光シート（２）と看板表示面（３）とを積層した看板本体（４）と、上記看板本体（４）の面状発光シート（２）へ電気を送るための蓄電池（５）と、インバータ（６）と、上記支持部材（１）に取り付けられた太陽発電パネル（７）と、を具備することを特徴とした屋外立設看板。
【請求項２】
上記支持部材（１）は、立設支持枠（11）と、この立設支持枠（11）に取り付けられかつ上記看板本体（４）の周囲に取り付けられる看板支持枠（10）とを有し、さらに、上記立設支持枠（11）は、三角柱状の柱（８)(８）を有し、該三角柱の柱（８）の平面視三角形の底辺を側外方へ配置し、平面視三角形の頂点を側内方へ配置して、上記看板支持枠（10）に対応させた請求項１記載の屋外立設看板。
【請求項３】
上記看板表示面（３）を複数個の区画に分け、異なる発光色の発光区画面部（12）を形成し、かつ、少なくとも一つの発光区画面部（12）を点滅させる制御装置（９）を備えた請求項１又は２記載の屋外立設看板。
【発明の詳細な説明】
【技術分野】
【０００１】
本発明は、屋外で宣伝等に利用される電気スタンド式看板に関するものである。
【背景技術】
【０００２】
従来の電気スタンド式看板は、宣伝・広告・案内等の図面、文字を表示した半透明のプラスチック製のケーシングを有しており、そのケーシング内から蛍光灯を用いて照明していた。また、蛍光灯に必要な電気を得るために、電気コードにより看板の設置場所近くの電源から電気を供給していた（例えば、特許文献１参照）。
【特許文献１】特開２００３−６６８７６号公報
【発明の開示】
【発明が解決しようとする課題】
【０００３】
しかし、従来の電気スタンド式看板では、ケーシング内に蛍光灯を備えたことでそのケーシングの厚み寸法は大きくなり、狭い通路に設置するには通行の妨げとなっていた。また、蛍光灯が外部からの衝撃で割れる心配や、長時間使用すると蛍光灯から発せられる熱でケーシングが熱くなり直接手で触れると危険な場合があった。さらに、設置場所の近くに電源を必要とし、設置できる場所が限られていた。
そこで、本発明は、設置に要するスペースを最小限にし、設置場所付近に電源を必要とせず、さらに、破損しにくく、発光時に発熱しない電気スタンド式看板を提供することを目的とする。
【課題を解決するための手段】
【０００４】
上記の目的を達成するために、本発明に係る屋外立設看板は、支持部材と、この支持部材に取り付けられると共に面状発光シートと看板表示面とを積層した看板本体と、上記看板本体の面状発光シートへ電気を送るための蓄電池と、インバータと、上記支持部材に取り付けられた太陽発電パネルと、を具備する。
【０００５】
また、上記支持部材は、立設支持枠と、この立設支持枠に取り付けられかつ上記看板本体の周囲に取り付けられる看板支持枠とを有し、さらに、上記立設支持枠は、三角柱状の柱を有し、該三角柱の柱の平面視三角形の底辺を側外方へ配置し、平面視三角形の頂点を側内方へ配置して、上記看板支持枠に対応させた。
【０００６】
また、上記看板表示面を複数個の区画に分け、異なる発光色の発光区画面部を形成し、かつ、少なくとも一つの発光区画面部を点滅させる制御装置を備えた。
【発明の効果】
【０００７】
本発明は、次のような著大な効果を奏する。
本発明に係る屋外立設看板によれば、発光源に面状発光シートを用いることにより、看板本体を薄型化でき、設置に必要なスペースが小さくなる。さらに、衝撃を受けても破損しにくく、また、発光時に発熱しないので、看板に触れた場合でも安全である。
太陽発電パネルにより発電された電気が蓄電池に蓄えられるので、設置場所の付近に電源が不要となり、屋外で設置できる場所を幅広く選ぶことができる。
【発明を実施するための最良の形態】
【０００８】
以下、実施の形態に示す図面に基づき本発明を詳説する。
図１・図２・図３に示す本発明の実施の一形態に於て、１は支持部材であり、この支持部材１は立設支持枠11と看板支持枠10から成る。支持部材１の上部には横長板状の太陽発電パネル７が付設されている。上記看板支持枠10は、正面視が矩形の看板本体４の周囲に取り付けられている。
上記立設支持枠11は金属製であり、直立した三角柱状の柱８，８と、梁部材21と、を有している。さらに、各柱８は底面が20mm〜50mm四方の四角柱部材19と２本の円柱部材20，20を三角柱の縦辺としている。四角柱部材19と円柱部材20，20は、それぞれ複数のパイプで連結され、その複数のパイプは三角形の波形状に組まれている。三角柱状の柱８，８の平面視三角形の底辺を側外方へ配置し、平面視三角形の頂点を側内方へ配置して、上記四角柱部材19，19を看板支持枠10の両端に付設している。
上記支持部材１の下方部に於て、その四角柱部材19，19を水平な梁部材21で連結している。上記四角柱部材19と梁部材21は、中空であり、上記蓄電池５とインバータ６と、制御装置９は、梁部材21の内部に取り付けられている。また、制御装置９は、タイマー機能を備えていてもよい。
【０００９】
また、上記看板本体４は、正面から順に看板表示面３と粘着剤22と面状発光シート２と補強用パネル23ａと補強用パネル23ｂを積層されている。
面状発光シート２は、交流電圧をかけると光を発する面状発光シート２は、正面から順に発光層と絶縁層と背面電極層とを積層して成っている。発光層には、蛍光物質である硫化亜鉛に銅をドープして成る発光体と、フッ素樹脂バインダとを混合攪拌したインクを用いる。絶縁層には、高誘電体であるチタン酸バリウムとフッ素バインダとを混合攪拌したインクを使用する。背面電極層はカーボンペーストから成る。
看板表示面３は、複数個の区画に分けられ、その区画に対応して異なる色の面状発光シート２を配設し、これにより異なる発光色の発光区画面部12を形成している。また、看板表示面３は、透明又は半透明の樹脂製であり、看板表示面３の表面には広告・宣伝等の文字又は図形が描かれている。補強用パネル23ａは例えば発泡スチロール製であり、補強用パネル23ｂは例えばアルミ製である。
【００１０】
そして、上記面状発光シート２と蓄電池５とインバータ６と制御装置９は、四角柱部材19内と梁部材21内を通る電気経路Ａにより電気的に結合されている。また、上記太陽発電パネル７と蓄電池５は、四角柱部材19内と梁部材21内を通る電気経路Ｂにより電気的に結合されている。
【００１１】
上記看板本体４の周囲に取り付けられている看板支持枠10は、横断面が略コの字型であり、看板支持枠10は、その略コの字横断面の開口側に上記看板本体４を嵌め込んで取り付けられている。支持枠10の下部は、支持枠10の左右部に固着されている。これに対し、該支持枠10の上部は、支持枠10の左右部に固着されておらず、単独で看板本体４に着脱できるように取り付けられている。該看板支持枠10は、金属製、プラスチック製または木製であってもよい。
【００１２】
また、上記三角柱状の柱８，８の上部には、三角形の天板15，15が付設されている。正面視右側の天板15の上部には角度調節器具24を有し、左側の天板15には固定器具25を有している。
角度調節器具24は、軸部14と倒立Ｊ字状の湾曲パイプ13を有し、軸部14が天板15上に垂直に付設されている。湾曲パイプ13の先端の湾曲部は、太陽発電パネル７の正面視右端の背面に付設され、湾曲パイプ13の基端は軸部14に回転自在に嵌められている。太陽発電パネル７は、水平面から50度〜60度傾斜の範囲で固定されている。
固定器具25は、可動継手17と止め具18と接合部16，16から成っている。接合部16，16は、太陽発電パネル７の左端の背面に縦方向に並列して付設されている。可動継手17は、プラスチック製の直方体である。接合部16，16の間には可動継手17の基端を配置し、ボルトとナットにより可動継手17は、接合部16，16にスイング可能に軸止されている。可動継手17には長手方向に複数の固定孔29…があり、コの字型の止め具18の一端を、可動継手17の先端の固定孔29に挿貫し、止め具18の両端を上記左側の天板15上に着脱自在に取り付けている。
【００１３】
上述した本発明である屋外立設看板の使用方法（作用）について説明する。
図１に於て、支持部材１の柱８，８の下端を地面に立設する。そして、上記太陽発電パネル７を軸部14を中心にスイング（揺動）させ、太陽発電パネル７に太陽光が最もよく照射される位置で止め、そして、上記可動継手17の先端を止め具を介し、上記左側の天板15に固定する。この時、可動継手17の長さが長い場合は、適当な長さに切断する。
上記太陽光が太陽発電パネル７に照射されると、太陽発電パネル７で太陽光の熱エネルギを直流電流の電気エネルギに変換し、その直流電流の電気エネルギが電気経路Ｂを伝って蓄電池５に蓄えられる。その蓄えられた電気エネルギが、インバータ６に於て交流電流に変換され、電気経路Ａを伝って上記面状発光シート２に供給される。面状発光シート２に交流電流が供給されると、面状発光シート２が発光し、看板表示面３が照明される。さらに、制御装置９により、少なくとも一つの発光区画面部12が点滅する。
また、看板表示面３を他の意匠の表示面３に変更する場合は、看板支持枠10の上部を看板本体４から取り外し、看板表示面３を上にスライドさせ看板支持枠10から抜き取り、他の看板表示面３を看板支持枠10に差し込んで、看板支持枠10の上部を看板本体４に取り付ける。
【００１４】
なお、上述の実施の形態以外に設計変更することは自由であって、例えば、支持部材１として、梁部材を柱８，８の上端を、左右橋絡状として、連結するように付加するも好ましい。また、そのとき、太陽発電パネル７の中央部を支点として、回転可能なように、上記柱８，８の上端を左右橋絡状に連結する（図示省略の）梁部材の中央に、取付ける（枢支する）ことも、自由である。
【００１５】
以上のように、本発明である屋外立設看板は、支持部材１と、この支持部材１に取り付けられると共に面状発光シート２と看板表示面３とを積層した看板本体４と、上記看板本体４の面状発光シート２へ電気を送るための蓄電池５と、インバータ６と、上記支持部材１に取り付けられた太陽発電パネル７と、を具備するので、看板本体４を薄型化でき、本看板の設置に必要なスペースが小さくなる。このことにより、屋外の通路に本看板を設置した場合でも、通行の妨げとはならない。発光源に面状発光シートを用いたので、衝撃に対して破損しにくく、かつ、発光時に発熱しないので、看板に触れた場合でも安全である。
さらに、太陽発電パネルにより発電された電気が蓄電池に蓄えられるので、設置場所の付近に電源が不要となり、屋外で設置できる場所を幅広く選ぶことができる。
【００１６】
また、上記支持部材１は、立設支持枠11と、この立設支持枠11に取り付けられかつ上記看板本体４の周囲に取り付けられる看板支持枠10とを有し、さらに、上記立設支持枠11は、三角柱状の柱８，８を有し、該三角柱の柱８の平面視三角形の底辺を側外方へ配置し、平面視三角形の頂点を側内方へ配置して、上記看板支持枠10に対応させたので、本看板を安定して立設でき、その立設支持枠11の製造も簡易にできる。
【００１７】
また、上記看板表示面３を複数個の区画に分け、異なる発光色の発光区画面部12を形成し、かつ、少なくとも一つの発光区画面部12を点滅させる制御装置９を備えたので、発光区画面部12のサイズや個数が自由に設定でき、複数種類の宣伝・広告・案内等を同時に表示ができる。さらに、部分的に発光区画面部12を点滅させることで、公衆の看板の表示面に対する注意力が高揚し、かつ、装飾効果も奏するので、看板の表示内容を伝達する機能が充分に発揮される。
【図面の簡単な説明】
【００１８】
【図１】本発明の実施の一形態を示す正面図である。
【図２】側面図である。
【図３】平面断面図である。
【符号の説明】
【００１９】
１  支持部材
２  面状発光シート
３  看板表示面
４  看板本体
５  蓄電池
６  インバータ
７  太陽発電パネル
８  柱
９  制御装置
10  看板支持枠
11  立設支持枠
12  発光区画面部
【図１】
2005173196.tif 000003
【図２】
2005173196.tif 000004
【図３】
2005173196.tif 000005